(57)【要約】【課題】トレッド部の径成長を抑制し、ベルトの耐久性能および摩耗性能を向上し、さらに、突起乗り越し性能を向上した空気入りタイヤを提供する。【解決手段】一対のビード部間にトロイダル状に跨るカーカスを骨格として、該カーカスのクラウン部の径方向外側に、タイヤの赤道面に沿って延びるコードの多数本をゴムで被覆した、少なくとも１層の周方向ベルト層と、タイヤの赤道面に対して傾斜した向きに延びるコードの多数本をゴムで被覆した、少なくとも２層の傾斜ベルト層とを順に配置して成るベルトを有し、該ベルトの径方向外側にトレッドを配置したタイヤであって、前記周方向ベルト層の幅がタイヤの総幅の６０％以上であり、少なくとも１層の傾斜ベルト層の幅が周方向ベルト層の幅よりも広く、前記周方向ベルト層のコードは、初期伸びを有する伸張性のコードであり、前記周方向ベルト層の径方向内側に、少なくとも１層のベルト補強層を設ける。【選択図】図１
2009196548.tif 000002
【特許請求の範囲】
【請求項１】
一対のビード部間にトロイダル状に跨るカーカスを骨格として、該カーカスのクラウン部の径方向外側に、タイヤの赤道面に沿って延びるコードの多数本をゴムで被覆した、少なくとも１層の周方向ベルト層と、タイヤの赤道面に対して傾斜した向きに延びるコードの多数本をゴムで被覆した、少なくとも２層の傾斜ベルト層とを順に配置して成るベルトを有し、該ベルトの径方向外側にトレッドを配置したタイヤであって、
前記周方向ベルト層の幅がタイヤの総幅の６０％以上であり、
少なくとも１層の傾斜ベルト層の幅が周方向ベルト層の幅よりも広く、
前記周方向ベルト層のコードは、初期伸びを有する伸張性のコードであり、
前記周方向ベルト層の径方向内側に、少なくとも１層のベルト補強層を有する、
ことを特徴とする空気入りタイヤ。
【請求項２】
前記傾斜ベルト層の幅がタイヤの総幅の６５％以上であることを特徴とする請求項１に記載の空気入りタイヤ。
【請求項３】
前記ベルト補強層が、前記周方向ベルト層と前記カーカスとの間に配置されることを特徴とする請求項１または２に記載の空気入りタイヤ。
【請求項４】
前記ベルト補強層が、前記カーカスの径方向内側に配置されることを特徴とする請求項１〜３のいずれかに記載の空気入りタイヤ。
【請求項５】
前記ベルト補強層の幅がタイヤの総幅の３０％以上であることを特徴とする請求項１〜４のいずれかに記載の空気入りタイヤ。
【請求項６】
前記ベルト補強層が、タイヤ赤道を含む領域に配置されることを特徴とする請求項１〜５のいずれかに記載の空気入りタイヤ。
【請求項７】
前記コードの引張歪み１．８％における弾性率が４０ＧＰａ以上１００ＧＰａ以下の範囲にあることを特徴とする請求項１〜６のいずれかに記載の空気入りタイヤ。
【発明の詳細な説明】
【技術分野】
【０００１】
本発明は、ベルトとして、コードやフィラメント等の補強素子がタイヤ赤道に沿う向きに延びる周方向ベルト層を有する空気入りタイヤ、特に、重荷重用空気入りタイヤに関するものである。
【背景技術】
【０００２】
この種のタイヤにおいて、周方向ベルト層は、トレッドの径方向成長を抑制するのに寄与している。この周方向ベルト層にて径成長を抑制する技術について、特許文献１には、カーカスの周りにタイヤ赤道に対し、１０〜４０゜の傾斜角にて互いにタイヤ赤道を挟み交差する多数のコード又はフィラメントを補強要素とする、少なくとも２層の傾斜ベルトを有し、さらに傾斜ベルトの下に位置する、少なくとも１層よりなり、波形もしくはジグザグ形をなす多数のコード又はフィラメントの補強要素を全体としてタイヤ赤道に沿う配向としたストリップによる周方向ベルト層を有する構造が開示されている。
【特許文献１】特開平２−２０８１０１号公報
【０００３】
ところで、近年、車両の高速化や低床化の要求により、装着タイヤはより扁平化され、これに伴って標準内圧付与時のトレッド部の径方向成長量は一層増大してゆく傾向にある。このトレッド部における径方向成長量の増加は、ベルト端部での応力集中を増幅して当該部分での耐久性の低下を招くため、特にベルトエンドセパレーションを早期に発生させる要因となる。
すなわち、扁平比の小さいタイヤでは、内圧付与時のトレッド部、特にショルダー部近傍の径成長量が増大することが問題になるから、タイヤの周方向に配置した補強素子による周方向ベルト層にて径成長を抑制する必要がある。
【発明の開示】
【発明が解決しようとする課題】
【０００４】
更に扁平比が小さくなった場合は、周方向ベルト層の幅を更に広げないと、所期した径成長の抑制が困難となる。
一方、タイヤの基本性能である耐摩耗性能を確保するには、傾斜ベルト層を幅広に配置し、トレッド部の面内せん断剛性を高くする必要がある。
ところが、周方向ベルト層並びに傾斜ベルト層の幅を広げることは、以下の新たな問題をまねくことになる。
【０００５】
すなわち、タイヤ走行に伴い、接地領域において周方向ベルト層の幅方向端部が周方向に曲げ変形してベルト層が周方向に伸びる結果生じる、引張入力（以下、引張振幅入力）が繰り返し強く作用することになり、その結果、周方向ベルト層の幅方向端部において、コードが疲労破断し易くなる。
【０００６】
このように、周方向ベルト層並びに傾斜ベルト層の幅を広げた場合、最も問題となるのが、周方向ベルト層の幅方向端部における、コードの疲労破断である。これは、タイヤ走行に伴い、周方向ベルト層端部のコードに引張振幅入力が作用するためであり、引張振幅入力を抑制することが、この問題を解決するためには不可欠である。
【０００７】
上記の問題を解決するために、周方向ベルト層を、初期伸びを有する伸張性のコードで構成することが考えられる。かかる構成により、周方向ベルト層端部のコードにおける引張振幅入力を抑制することはできるが、当該コードは剛性が低いために、特に突起乗り越し時にコード破断に至るおそれがあり、この点の改善が必要であった。
【０００８】
そこで、本発明の目的は、特に周方向ベルト層端部におけるコードの耐疲労性並びに耐摩耗性を向上し、さらに突起乗り越し性能を向上した空気入りタイヤ、中でも扁平比の小さい重荷重用ラジアルタイヤを提供することにある。
【課題を解決するための手段】
【０００９】
本発明の要旨は、以下のとおりである。
（１）一対のビード部間にトロイダル状に跨るカーカスを骨格として、該カーカスのクラウン部の径方向外側に、タイヤの赤道面に沿って延びるコードの多数本をゴムで被覆した、少なくとも１層の周方向ベルト層と、タイヤの赤道面に対して傾斜した向きに延びるコードの多数本をゴムで被覆した、少なくとも２層の傾斜ベルト層とを順に配置して成るベルトを有し、該ベルトの径方向外側にトレッドを配置したタイヤであって、
前記周方向ベルト層の幅がタイヤの総幅の６０％以上であり、
少なくとも１層の傾斜ベルト層の幅が周方向ベルト層の幅よりも広く、
前記周方向ベルト層のコードは、初期伸びを有する伸張性のコードであり、
前記周方向ベルト層の径方向内側に、少なくとも１層のベルト補強層を有する、
ことを特徴とする空気入りタイヤ。
【００１０】
（２）前記傾斜ベルト層の幅がタイヤの総幅の６５％以上であることを特徴とする上記（１）に記載の空気入りタイヤ。
【００１１】
（３）前記ベルト補強層が、前記周方向ベルト層と前記カーカスとの間に配置されることを特徴とする上記（１）または（２）に記載の空気入りタイヤ。
【００１２】
（４）前記ベルト補強層が、前記カーカスの径方向内側に配置されることを特徴とする上記（１）〜（３）のいずれかに記載の空気入りタイヤ。
【００１３】
（５）前記ベルト補強層の幅がタイヤの総幅の３０％以上であることを特徴とする上記（１）〜（４）のいずれかに記載の空気入りタイヤ。
【００１４】
（６）前記ベルト補強層が、タイヤ赤道を含む領域に配置されることを特徴とする上記（１）〜（５）のいずれかに記載の空気入りタイヤ。
【００１５】
（７）前記コードの引張歪み１．８％における弾性率が４０ＧＰａ以上１００ＧＰａ以下の範囲にあることを特徴とする上記（１）〜（６）のいずれかに記載の空気入りタイヤ。
【発明の効果】
【００１６】
本発明によれば、周方向ベルト層幅を広げて、特に扁平比の小さいタイヤで顕著なトレッド部の径成長を抑制し、周方向ベルト層に初期伸びを有する伸張性のコードを埋設することにより、特に周方向ベルト層端部におけるコードの疲労破断を抑制して、ベルトの耐久性能を大幅に向上するとともに、周方向ベルト層に対する傾斜ベルト層の幅を規定することにより摩耗性能を向上した、扁平比の小さいタイヤを提供することができる。
さらに、周方向ベルト層の径方向内側に、少なくとも１層のベルト補強層を設けることにより、ベルトの耐久性能をさらに向上するとともに突起乗り越し性能を向上した空気入りタイヤを提供することができる。
【発明を実施するための最良の形態】
【００１７】
以下に、本発明の空気入りタイヤの実施形態を、図面を参照して詳しく説明する。
図１は本発明に従うタイヤの幅方向断面である。一対のビード部（図示せず）間にトロイダル状に跨るカーカス１のクラウン部の径方向外側には、タイヤ赤道ＣＬに対して傾斜した向きに延びるコードの多数本をゴムで被覆した、少なくとも１層、図示例では１層のベルト補強層１０と、タイヤ赤道ＣＬに沿って延びるコードの多数本をゴムで被覆した、少なくとも１層、図示例で２層の周方向ベルト層２ａおよび２ｂと、タイヤ赤道ＣＬに対して傾斜した向きに延びるコードの多数本をゴムで被覆した、少なくとも２層を層間でコード相互が交差する向きに配置した、図示例で２層の傾斜ベルト層３ａおよび３ｂと、を順に積層したベルト４を有し、さらに該ベルト４の径方向外側にトレッド５を配置している。
【００１８】
周方向ベルト層２ａおよび２ｂの幅ＢＷ２は、タイヤの総幅ＴＷの６０％以上に設定することが好ましく、さらに、７０％以上に設定することがより好ましい。なぜなら、径成長の大きい領域は、タイヤ総幅ＴＷの６０％〜７０％の領域までであることから、その領域には、径成長を抑制する周方向ベルト層を配置する必要があるためである。周方向ベルト層２ａおよび２ｂの幅ＢＷ２の上限は、タイヤ形状を規定の寸法内に収めることの制約から、９０％とすることが好ましい。
【００１９】
また、少なくとも１層の傾斜ベルト層、図示例では傾斜ベルト層３ａの幅ＢＷ３ａを周方向ベルト層２ａ、２ｂの幅ＢＷ２よりも広くする必要がある。なぜなら、タイヤの摩耗性能およびコーナーリング性能に必要なトレッド部の面内剪断剛性を確保するためである。
残る傾斜ベルト層３ｂの幅ＢＷ３ｂは、周方向ベルト層２ａ、２ｂより幅広く配置することが、トレッド部の面内剪断剛性を向上させ、特にタイヤの摩耗性能を向上させる上で好ましい。また、図１に示した例では、傾斜ベルト層３ａの幅ＢＷ３ａが同３ｂの幅ＢＷ３ｂよりも広いが、このように、異なる幅に設定することが好ましい。なぜなら、同一幅になると急激な剛性変化を伴うため、ベルト層端部での耐セパレーション性が悪化する懸念があるためである。
【００２０】
また、傾斜ベルト層３ａ、３ｂの幅がタイヤの総幅ＴＷの６５％以上であることが好ましい。なぜなら、タイヤ総幅ＴＷの６５％以上の範囲で傾斜ベルト層３ａのコードと同３ｂのコードとが交差することにより、摩耗性能を維持するためである。また、傾斜ベルト層３ａ、３ｂの幅の上限は、タイヤ形状を規定の寸法内に収めることの制約から、９０％とすることが好ましい。
傾斜ベルト層のコードはタイヤ赤道ＣＬに対して４０°以上、好ましくは５０°以上傾斜していると、摩耗性能と耐久性能を両立可能である。なぜなら、傾斜ベルト層のコードのタイヤ赤道ＣＬに対する傾斜角度が４０°未満では、タイヤ走行中の接地領域において、傾斜ベルトの周方向変形が大きくなり、前記周方向ベルト端部と傾斜ベルト層間のゴムのせん断変形が大きくなる。これにより、ゴムが破壊されタイヤの耐久性は著しく低下するおそれがあるからである。
【００２１】
なお、図１に示した例では、周方向ベルト層２ａと２ｂとの幅は同じであるが、異なる幅にしてもよい。特に、周方向ベルト層の幅方向中央部の強度を大きくした場合には、１層だけ幅を広く配置し、もう１層は幅を狭くしても良い。
【００２２】
また、周方向ベルト層の幅を広くすると、周方向ベルト層の幅方向外側端部において、コードの疲労破断が発生し易くなり、十分に満足するタイヤ寿命を得ることが難しい。これは、タイヤ走行に伴い、周方向ベルト層端部のコードに引張方向の振幅入力が作用するためであり、この引張振幅入力を抑制することが、この問題を解決するためには不可欠である。そこで、本発明では、周方向ベルト層に、初期伸びを有する伸張性のコードを用いることによって、上記した周方向ベルト層端部に集中する引張振幅入力を抑制する。
【００２３】
すなわち、走行中のタイヤでは、周方向ベルト層端部に引張振幅入力が作用する。この引張振幅入力は、タイヤのトレッド端部側の接地面において、コードが周方向に伸ばされて引張最大応力が作用し、トレッド端部の非接地域ではほぼ内圧充填時の引張応力が作用するためである。この引張応力の振幅を抑制するには、タイヤの負担を軽くする（タイヤの撓み量を小さくする）ことが考えられるが、この手法ではタイヤの乗り心地性を満足させることはできない。
【００２４】
そこで、接地面内においてコードがタイヤの周方向に伸ばされたとき、該接地面に対応する周方向ベルト層の幅方向端部における、コードの弾性率が低ければ、コードにかかる引張応力は低くなる。しかし、周方向ベルト層の全てのコードの弾性率を低くしてしまうと、内圧充填による径方向成長量が大きくなり、タイヤの形状保持が困難になる。そこで、本発明では、周方向ベルト層２ａ、２ｂの径方向内側に、少なくとも１層のベルト補強層１０を設けることによって、内圧充填時の径方向成長量の増加を極力同じにすれば、接地面における、周方向ベルト層の幅方向端部の応力振幅は効果的に抑制される結果、コードの疲労破断を抑制することができる。
さらに、初期伸びを有する伸張性のコードを用いた周方向ベルト層２ａ、２ｂは、幅方向剛性をほとんど有していないため、例えば、突起乗り越し時等にタイヤトレッド側から曲げ変形が加わると、曲げの中立軸を境に引張側に位置するカーカス１に大きな引張入力が作用し、カーカス１に過度の変形が生じるおそれがある。そこで、周方向ベルト層２ａ、２ｂの径方向内側に、少なくとも１層のベルト補強層１０を設けて周方向ベルト層の幅方向剛性を補強することによって、突起乗り越し時などに生じる、カーカス１への引張入力を低減し、カーカス１の変形を抑制し、カーカス１の耐久性を向上する。
【００２５】
ここで、周方向ベルト層およびベルト補強層の構造を詳しく説明する。まず周方向ベルト層について、図１（ｂ）に平面展開図を示すように、周方向ベルト層２ａのコード６は、タイヤ赤道ＣＬと平行に延在する配置を有する。
コード６には、例えば、金属製の弾性コード、すなわち複撚りの４×０．２８ｍｍ＋６×０．２５ｍｍのコード、いわゆるハイエロンゲーションコードが好適である。コード６は、有機繊維コードでも良い。
また、コード６は、タイヤ製品（加硫後）でのコードの破断伸びが１．５％以上、好ましくは１．６％以上である。
【００２６】
次に、図１（ｃ）にベルト補強層の平面展開図を示すように、コード１１は、タイヤ赤道ＣＬと垂直、すなわち、タイヤ軸方向に延在する配置を有する。
ベルト補強層１０は、幅方向剛性を増加するために用いられることから、タイヤ赤道ＣＬに対するコード１１の傾斜角度は、４０°以上であることが好ましく、５０°以上であるとさらに好ましく、図１（ｃ）に示すように、９０°であるのが最も好ましい。
【００２７】
ベルト補強層１０は、タイヤ赤道ＣＬを含む領域であるタイヤ中央部に配置されることが好ましい。これは、突起乗り越し時の変形は、タイヤトレッドセンター部で突起を乗り越した場合最も大きく、カーカス１への入力はこの場合が最も大きいからである。
【００２８】
以上、図１に示した例では、ベルト補強層１０は、周方向ベルト層２ｂとカーカス１との間に配置したが、この配置に限定されることはなく、様々な配置が可能である。他の事例について、図２（ａ）〜（ｃ）に示す。
まず、図２（ａ）に示す例は、図１と同様に、カーカス１のクラウン部の径方向外側に、タイヤ赤道ＣＬに対して傾斜した向きに延びるコードの多数本をゴムで被覆した１層のベルト補強層１０と、２層の周方向ベルト層２ａ、２ｂと、２層の傾斜ベルト層３ａ、３ｂと、を順に積層したベルト４を有する。
この図示例のように、ベルト補強層１０は、突起入力時のカーカス１への入力を緩和するために、周方向ベルト層２ａとカーカス１との間に配置されることが好ましい。これは、突起乗り越し時にトレッド側から曲げ変形が加わった際、曲げの引張側にあるベルト補強層１０のコード１１により、幅方向剛性が増加するため、カーカス１にかかる張力が低減するからである。
【００２９】
一方、図２（ｂ）に示すように、ベルト補強層１０は、カーカス１の径方向内側に配置されてもよい。この構成であっても、上記同様、カーカス１にかかる引張入力の低減が可能であるからである。図２（ｂ）の例は、ベルト補強層１０をカーカス１のクラウン部の径方向内側に配置した点以外は、図２（ａ）に示すベルト構造と同様である。
【００３０】
また、図２（ｃ）に、ベルト補強層１０の幅が周方向ベルト層２ａ、２ｂの幅よりも広い例を示す。図２（ｃ）は、ベルト補強層１０の幅が周方向ベルト層２ａ、２ｂの幅よりも広い点以外は、図２（ａ）に示すベルト構造と同様である。
なお、ベルト補強層１０の幅ＢＷ１０は、タイヤの総幅ＴＷの３０％以上に設定することが好ましい。なぜなら、幅ＢＷ１０が３０％未満の場合、突起乗り越し時におけるカーカス１への入力低減効果が不充分のためである。一方、幅ＢＷ１０の上限は、タイヤ形状を規定の寸法内に収めることの制約から、９０％とすることが好ましい。
【００３１】
コード６の弾性率は、引張歪み１．８％において、４０ＧＰａ以上１００ＧＰａ以下の範囲にあることが好ましい。弾性率が４０ＧＰａより低い場合、内圧充填による径成長が抑制できない可能性があり、１００ＧＰａより高い場合、タイヤ転動時にかかるコードへの入力（応力振幅）により、コードが破断し、タイヤ内圧を保持することが難しくなる可能性がある。
なお、接地面内における引張歪はおおよそ１．８％程度であることが実測値として知られているから、コード弾性率は、この引張歪１．８％でのコード弾性率を規定する。
ちなみに、コードの弾性率とは、空気入りタイヤを解体して採り出したゴム被覆状態のコードについて、引張り試験を行い、その結果から応力−歪み線図を作成し、該線図における歪みが１．８％における接線の勾配（傾き）を算出し、その値をコードの断面積で除した値である。
【実施例】
【００３２】
表１に示す仕様の下、発明例タイヤ、従来例タイヤ、および比較例タイヤをサイズ４９５／４５Ｒ２２．５で試作し、各試作タイヤについて、耐久試験、摩耗試験、および小突起貫通試験を行ったので以下に説明する。
発明例タイヤ１、２は、図２（ａ）のベルト層構造を有し、ベルト補強層のタイヤ赤道に対する角度を変えたものである。発明例タイヤ３、４は、それぞれ図２（ｂ）、（ｃ）のベルト層構造を有する。発明例タイヤ１〜４の周方向ベルト層２ａ、２ｂは、４×（１×０．２８ｍｍ＋６×０．２５ｍｍ）のハイエロンゲーションコードを打ち込み数２０本／５０ｍｍで適用し、表１では「ハイエロ」と表記している。
【００３３】
従来例タイヤは、図３（ａ）に示すように、カーカス１のクラウン部の径方向外側に、２層の周方向ベルト層２ｃ、２ｄと、２層の傾斜ベルト層３ａ、３ｂと、を順に積層したベルト構造を有する。傾斜ベルト層３ａの幅が周方向ベルト層２ｃ、２ｄの幅より広く、傾斜ベルト層３ｂの幅が周方向ベルト層２ｃ、２ｄの幅より狭い。
比較例タイヤ１は、図３（ｂ）に示すベルト構造を有し、２層の傾斜ベルト層３ａ、３ｂの幅がともに、周方向ベルト層２ｃ、２ｄの幅より広い点以外図３（ａ）に示す従来例タイヤのベルト構造と同様である。
従来例タイヤおよび比較例タイヤ１の周方向ベルト層２ｃ、２ｄは、（３＋９＋１５）×０．２３ｍｍの波状の非伸長コードを打ち込み数２２．５本／５０ｍｍで適用し、表１では「ＷＡＶＹ」と表記している。
比較例タイヤ２は、図３（ｃ）に示すベルト構造を有し、ベルト補強層１０を有さない点以外図２（ａ）に示す発明例タイヤ１、２のベルト構造と同様である。
比較例タイヤ３は、図３（ｄ）に示すベルト構造を有し、ベルト補強層１０を傾斜ベルト層３ａ、３ｂの径方向外側に設け、このベルト補強層１０のコード角度がタイヤ赤道に対して４０°である点以外図２（ａ）に示す発明例タイヤ１、２のベルト構造と同様である。
【００３４】
これら試作タイヤを、サイズ１７．００×２２．５のリムに組み込み、内圧を９００ｋＰａに調整した上で、荷重：５８００ｋｇおよびドラム回転速度：６０．０ｋｍ／ｈの条件にてドラム走行を３００００ｋｍの距離で実施し、その後、タイヤを解剖して周方向ベルト層におけるコードの疲労強度を測定した（耐久試験）。疲労強度は従来例タイヤの強度を１００として指数で表し、数値が大きいほど疲労強度が大きい、すなわち、耐久性能が良好であることを示している。また、同時に、トレッド摩耗量を測定した（摩耗試験）。トレッド摩耗量は従来例タイヤの摩耗量を１００としてその逆数を指数で表し、数値が大きいほど摩耗量が少ない、すなわち、摩耗性能が良好であることを示している。
また、試作タイヤを、サイズ１７．００×２２．５のリムに組み込み、内圧を９００ｋＰａに調整した上で、直径２５ｍｍの丸型突起物をトレッド部に１箇所、３０ｋＮの力で押し当て、丸型突起物の最大押込量を測定した（小突起貫通試験）。押込量は従来例タイヤの押込量を１００として指数で表し、数値が大きいほど押込量が少ない、すなわち、小突起貫通性能が良好であることを示している。
【００３５】
【表１】
2009196548.tif 000003
【００３６】
表１の結果より、発明例タイヤ１〜４および比較例タイヤ２、３は、周方向ベルト層にハイエロンゲーションコードを用いたことによって、従来例タイヤに比較して耐久性能が向上したことが分かる。
また、発明例タイヤ１〜４および比較例タイヤ１〜３は、２層の傾斜ベルト層の幅を周方向ベルト層の幅より広げることによって、従来例タイヤに比較して摩耗性能が向上したことが分かる。
また、発明例タイヤ１〜４は、ベルト補強層を周方向ベルト層の径方向内側に設けることによって、小突起貫通性能が向上したことが分かる。
【００３７】
以上により、周方向ベルト層に埋設したコードを、初期伸びを有する伸張性のコードとしベルトの耐久性能を向上し、周方向ベルト層に対する傾斜ベルト層の幅を規定することにより摩耗性能を向上し、さらに、周方向ベルト層の径方向内側に、少なくとも１層のベルト補強層を設けることにより突起乗り越し性能を向上した空気入りタイヤを提供することができる。
【図面の簡単な説明】
【００３８】
【図１】（ａ）は本発明に従うタイヤの幅方向断面図であり、（ｂ）、（ｃ）はベルトの展開図である。
【図２】（ａ）〜（ｃ）は本発明の空気入りタイヤの実施例である。
【図３】（ａ）〜（ｄ）は従来例タイヤおよび比較例タイヤである。
【符号の説明】
【００３９】
１                          カーカス
２ａ、２ｂ、２ｃ、２ｄ      周方向ベルト層
３ａ、３ｂ                  傾斜ベルト層
４                          ベルト
５                          トレッド
６、１１                    コード
１０                        ベルト補強層
ＣＬ                        タイヤ赤道
【図１】
2009196548.tif 000004
【図２】
2009196548.tif 000005
【図３】
2009196548.tif 000006